(57)【要約】【課題】大きな負荷を掛けることなく画像供給装置に適した描画画像を表示させることが可能な表示装置及び表示装置の制御方法を提供する。【解決手段】プロジェクター１は、画像供給装置３からネットワークＮＷを介して画像情報の供給を受け付ける通信部１３と、画像情報に基づく画像を投写面Ｓｐに表示する画像投写部２０と、投写面Ｓｐに対する発光ペン２の指示位置を検出する検出部１０ａと、検出部１０ａで検出された指示位置に基づいて描画画像を生成する描画画像生成部１０ｂと、描画画像を画像投写部２０により表示させる表示制御部１０ｃと、描画画像を、画像供給装置３を識別するためのＩＰアドレスに対応付けて記憶する記憶部１１と、を備え、表示制御部１０ｃは、通信部１３に画像情報を供給する画像供給装置３が変更された場合に、変更後の画像供給装置３のＩＰアドレスに対応する描画画像を記憶部１１から読み出し、投写面Ｓｐに表示させる。【選択図】図１
2020076908.tif 000002
【特許請求の範囲】
【請求項１】
画像供給装置からネットワークを介して画像情報の供給を受け付ける通信部と、
前記通信部が受け付けた前記画像情報に基づく画像を表示面に表示する表示部と、
前記表示面に対する指示体の指示位置を検出する検出部と、
前記検出部で検出された前記指示位置に基づいて描画画像を生成する生成部と、
前記生成部で生成された前記描画画像を前記表示部に表示させる表示制御部と、
前記描画画像を、前記画像供給装置を識別するための識別情報に対応付けて記憶する記憶部と、を備え、
前記表示制御部は、前記通信部に前記画像情報を供給する前記画像供給装置が変更された場合に、変更後の前記画像供給装置の前記識別情報に対応する前記描画画像を前記記憶部から読み出し、前記表示部に表示させることを特徴とする表示装置。
【請求項２】
請求項１に記載の表示装置であって、
前記識別情報は、前記画像供給装置のＩＰアドレスであることを特徴とする表示装置。
【請求項３】
請求項１又は２に記載の表示装置であって、
前記通信部に前記画像情報を供給する前記画像供給装置が変更された場合に、前記表示制御部は、変更前に表示されていた前記描画画像を消去することを特徴とする表示装置。
【請求項４】
請求項１〜３のいずれか一項に記載の表示装置であって、
前記画像供給装置である第１の画像供給装置と、前記画像供給装置である第２の画像供給装置とが前記通信部に接続され、前記第１の画像供給装置の前記識別情報に対応する第１の描画画像と、前記第２の画像供給装置の前記識別情報に対応する第２の描画画像とが前記記憶部に記憶され、前記通信部が前記第１の画像供給装置から前記画像情報の供給を受け付け、前記表示制御部が前記第１の描画画像を前記表示部に表示させているときに、前記通信部が前記第２の画像供給装置から前記画像情報の供給を受け付けた場合には、前記表示制御部は、前記表示部に表示させている前記第１の描画画像を消去して、前記第２の描画画像を表示させることを特徴とする表示装置。
【請求項５】
画像供給装置から画像情報の供給を受け付ける複数の画像インターフェイスと、
前記複数の画像インターフェイスから１つの画像インターフェイスを選択する選択部と、
前記選択部で選択された前記画像インターフェイスに供給される前記画像情報に基づく画像を表示面に表示する表示部と、
前記表示面に対する指示体の指示位置を検出する検出部と、
前記検出部で検出された前記指示位置に基づいて描画画像を生成する生成部と、
前記生成部で生成された前記描画画像を前記表示部に表示させる表示制御部と、
前記描画画像を、前記選択部で選択された前記画像インターフェイスに対応付けて記憶する記憶部と、を備え、
前記表示制御部は、前記選択部により選択された前記画像インターフェイスが変更された場合に、変更後の前記画像インターフェイスに対応する前記描画画像を前記記憶部から読み出し、前記表示部に表示させることを特徴とする表示装置。
【請求項６】
請求項５に記載の表示装置であって、
前記選択部で選択されている前記画像インターフェイスが、前記画像供給装置からネットワークを介して前記画像情報の供給を受け付ける第１の画像インターフェイスの場合に、前記記憶部は、前記描画画像を、前記画像情報を供給している前記画像供給装置を識別するための識別情報に対応付けて記憶し、
前記第１の画像インターフェイスに前記画像情報を供給する前記画像供給装置が変更された場合に、前記表示制御部は、変更後の前記画像供給装置の前記識別情報に対応する前記描画画像を読み出し、前記表示部に表示させることを特徴とする表示装置。
【請求項７】
画像供給装置からネットワークを介して画像情報の供給を受け付け、
前記画像情報に基づく画像を表示面に表示し、
前記表示面に対する指示体の指示位置を検出し、
検出された前記指示位置に基づいて描画画像を生成し、
前記描画画像を前記表示面に表示させ、
前記描画画像を、前記画像供給装置を識別するための識別情報に対応付けて記憶部に記憶し、
前記画像情報を供給する前記画像供給装置が変更された場合に、変更後の前記画像供給装置の前記識別情報に対応する前記描画画像を前記記憶部から読み出し、前記表示面に表示させることを特徴とする表示装置の制御方法。
【請求項８】
画像供給装置から画像情報の供給を受け付ける複数の画像インターフェイスから１つの画像インターフェイスを選択し、
選択された前記画像インターフェイスに供給される前記画像情報に基づく画像を表示面に表示し、
前記表示面に対する指示体の指示位置を検出し、
検出された前記指示位置に基づいて描画画像を生成し、
前記描画画像を前記表示面に表示させ、
前記描画画像を、選択された前記画像インターフェイスに対応付けて記憶部に記憶し、
選択された前記画像インターフェイスが変更された場合に、変更後の前記画像インターフェイスに対応する前記描画画像を前記記憶部から読み出し、前記表示面に表示させることを特徴とする表示装置の制御方法。
【発明の詳細な説明】
【技術分野】
【０００１】
本発明は、表示装置及び表示装置の制御方法に関する。
【背景技術】
【０００２】
表示面に画像を表示する表示装置において、発光ペン等の指示体を用いて表示面に図形や文字等を描画することが可能な表示装置が知られている。このような表示装置では、ユーザーは、表示装置が表示している画像に関連付けて描画を行うことが多いことから、表示している画像が変更されると、描画した図形等が新たな画像の視認を妨げてしまう場合がある。このため、特許文献１には、表示している画像の変化を検出して、画像が変化した場合に、描画した図形等を消去する表示装置が提案されている。また、特許文献１には、表示している画像が元に戻った場合に、消去した図形等を復元することについても記載されている。
【先行技術文献】
【特許文献】
【０００３】
【特許文献１】特開２０１７−１７３６７５号公報
【発明の概要】
【発明が解決しようとする課題】
【０００４】
しかしながら、特許文献１に記載の表示装置では、画像の変化を検出するために、表示している画像を常に解析する必要があることから、表示装置に掛かる負荷が大きくなってしまうという問題を有している。
【課題を解決するための手段】
【０００５】
本願の表示装置は、画像供給装置からネットワークを介して画像情報の供給を受け付ける通信部と、前記通信部が受け付けた前記画像情報に基づく画像を表示面に表示する表示部と、前記表示面に対する指示体の指示位置を検出する検出部と、前記検出部で検出された前記指示位置に基づいて描画画像を生成する生成部と、前記生成部で生成された前記描画画像を前記表示部に表示させる表示制御部と、前記描画画像を、前記画像供給装置を識別するための識別情報に対応付けて記憶する記憶部と、を備え、前記表示制御部は、前記通信部に前記画像情報を供給する前記画像供給装置が変更された場合に、変更後の前記画像供給装置の前記識別情報に対応する前記描画画像を前記記憶部から読み出し、前記表示部に表示させることを特徴とする。
【０００６】
上記の表示装置において、前記識別情報は、前記画像供給装置のＩＰアドレスであってもよい。
【０００７】
上記の表示装置において、前記通信部に前記画像情報を供給する前記画像供給装置が変更された場合に、前記表示制御部は、変更前に表示されていた前記描画画像を消去してもよい。
【０００８】
上記の表示装置において、前記画像供給装置である第１の画像供給装置と、前記画像供給装置である第２の画像供給装置とが前記通信部に接続され、前記第１の画像供給装置の前記識別情報に対応する第１の描画画像と、前記第２の画像供給装置の前記識別情報に対応する第２の描画画像とが前記記憶部に記憶され、前記通信部が前記第１の画像供給装置から前記画像情報の供給を受け付け、前記表示制御部が前記第１の描画画像を前記表示部に表示させているときに、前記通信部が前記第２の画像供給装置から前記画像情報の供給を受け付けた場合には、前記表示制御部は、前記表示部に表示させている前記第１の描画画像を消去して、前記第２の描画画像を表示させてもよい。
【０００９】
本願の表示装置は、画像供給装置から画像情報の供給を受け付ける複数の画像インターフェイスと、前記複数の画像インターフェイスから１つの画像インターフェイスを選択する選択部と、前記選択部で選択された前記画像インターフェイスに供給される前記画像情報に基づく画像を表示面に表示する表示部と、前記表示面に対する指示体の指示位置を検出する検出部と、前記検出部で検出された前記指示位置に基づいて描画画像を生成する生成部と、前記生成部で生成された前記描画画像を前記表示部に表示させる表示制御部と、前記描画画像を、前記選択部で選択された前記画像インターフェイスに対応付けて記憶する記憶部と、を備え、前記表示制御部は、前記選択部により選択された前記画像インターフェイスが変更された場合に、変更後の前記画像インターフェイスに対応する前記描画画像を前記記憶部から読み出し、前記表示部に表示させることを特徴とする。
【００１０】
上記の表示装置において、前記選択部で選択されている前記画像インターフェイスが、前記画像供給装置からネットワークを介して前記画像情報の供給を受け付ける第１の画像インターフェイスの場合に、前記記憶部は、前記描画画像を、前記画像情報を供給している前記画像供給装置を識別するための識別情報に対応付けて記憶し、前記第１の画像インターフェイスに前記画像情報を供給する前記画像供給装置が変更された場合に、前記表示制御部は、変更後の前記画像供給装置の前記識別情報に対応する前記描画画像を読み出し、前記表示部に表示させてもよい。
【００１１】
本願の表示装置の制御方法は、画像供給装置からネットワークを介して画像情報の供給を受け付け、前記画像情報に基づく画像を表示面に表示し、前記表示面に対する指示体の指示位置を検出し、検出された前記指示位置に基づいて描画画像を生成し、前記描画画像を前記表示面に表示させ、前記描画画像を、前記画像供給装置を識別するための識別情報に対応付けて記憶部に記憶し、前記画像情報を供給する前記画像供給装置が変更された場合に、変更後の前記画像供給装置の前記識別情報に対応する前記描画画像を前記記憶部から読み出し、前記表示面に表示させることを特徴とする。
【００１２】
本願の表示装置の制御方法は、画像供給装置から画像情報の供給を受け付ける複数の画像インターフェイスから１つの画像インターフェイスを選択し、選択された前記画像インターフェイスに供給される前記画像情報に基づく画像を表示面に表示し、前記表示面に対する指示体の指示位置を検出し、検出された前記指示位置に基づいて描画画像を生成し、前記描画画像を前記表示面に表示させ、前記描画画像を、選択された前記画像インターフェイスに対応付けて記憶部に記憶し、選択された前記画像インターフェイスが変更された場合に、変更後の前記画像インターフェイスに対応する前記描画画像を前記記憶部から読み出し、前記表示面に表示させることを特徴とする。
【図面の簡単な説明】
【００１３】
【図１】表示システムの概略構成を示す斜視図。
【図２】プロジェクターの概略構成を示すブロック図。
【図３】画像投写部の概略構成を示すブロック図。
【図４】プロジェクターの動作を説明するためのフローチャート。
【図５Ａ】プロジェクターの具体的な動作例を説明するための説明図。
【図５Ｂ】プロジェクターの具体的な動作例を説明するための説明図。
【図６】変形例に係るプロジェクターの概略構成を示すブロック図。
【発明を実施するための形態】
【００１４】
以下、本実施形態の表示システムについて、図面を参照して説明する。
図１は、本実施形態の表示システム１００の概略構成を示す斜視図である。
【００１５】
図１に示すように、表示システム１００は、表示装置としてのプロジェクター１と、指示体としての発光ペン２とを備えている。プロジェクター１は、表示面としての投写面Ｓｐに画像を投写して表示する。プロジェクター１から投写される投写画像Ｉｐには、外部の画像供給装置３，４（図２参照）から供給される画像情報に基づく画像Ｉｃが含まれる。これ以降、この画像Ｉｃを「入力画像Ｉｃ」とも表記する。本実施形態のプロジェクター１は、固定部材Ｔを介して壁面に固定されており、同じ壁面に沿って配置されている投写面Ｓｐに向けて投写画像Ｉｐを投写する。投写面Ｓｐとしては、例えば、スクリーンやホワイトボード等を用いることができるが、壁面自体に画像を投写する態様であってもよい。
【００１６】
発光ペン２は、赤外光を発する発光部２ａを先端に備えるとともに、先端による投写面Ｓｐへの押圧、即ち投写面Ｓｐへのタッチを検出する図示しない押圧検出部を備えている。発光部２ａは、発光ペン２が動作している間、所定の発光シーケンスで点滅を繰り返す。そして、発光部２ａは、投写面Ｓｐへのタッチの有無に応じて発光シーケンスを変更する。このため、プロジェクター１は、発光部２ａの発光シーケンスに基づいて発光ペン２によるタッチの有無を識別することができる。なお、発光ペン２は、赤外光以外の波長域の光を発する態様であってもよい。
【００１７】
プロジェクター１は、投写画像Ｉｐを含む範囲を撮像可能になっている。プロジェクター１は、撮像された画像の中から、発光ペン２が発した光を検出し、検出された光の位置を、発光ペン２により指示された指示位置として検出する。また、プロジェクター１は、検出された光の発光シーケンスに基づいて、投写面Ｓｐへのタッチの有無を検知する。そして、プロジェクター１は、検出された指示位置に図示しないポインターを重畳して表示したり、タッチされた状態での指示位置の軌跡に沿って線が描画されたような画像Ｉｄを重畳して表示したりすることができる。これ以降、この画像Ｉｄを「描画画像Ｉｄ」とも表記する。
【００１８】
図２は、プロジェクター１の概略構成を示すブロック図であり、図３は、プロジェクター１に備わる画像投写部２０の概略構成を示すブロック図である。
図２に示すように、プロジェクター１は、制御部１０と、記憶部１１と、入力操作部１２と、通信部１３と、撮像部１４と、ＯＳＤ処理部１５と、画像情報入力部１６と、画像情報選択部１７と、画像情報処理部１８と、画像情報合成部１９と、表示部としての画像投写部２０とを一体的に備えて構成されている。プロジェクター１は、外部の画像供給装置３，４から供給される画像情報等に基づいて、画像投写部２０から投写面Ｓｐに画像を投写する。
【００１９】
制御部１０は、１つ又は複数のプロセッサーを備えて構成され、記憶部１１に記憶されている制御プログラムに従って動作することによりプロジェクター１の動作を統括制御する。
【００２０】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや、各種設定情報等を記憶する。
【００２１】
入力操作部１２は、ユーザーがプロジェクター１に対して各種指示を行うための複数の操作キーを備えている。入力操作部１２が備える操作キーとしては、電源のオンとオフとを切り替えるための電源キー、各種設定を行うためのメニュー画像を表示させるためのメニューキー、メニュー画像上で項目を選択するための方向キー、画像情報が入力される画像インターフェイスを選択するための入力選択キー等がある。ユーザーが入力操作部１２の各種操作キーを操作すると、入力操作部１２は、その操作を受け付けて、操作内容に応じた操作信号を制御部１０に出力する。なお、遠隔操作が可能な図示しないリモコンを入力操作部１２として用いる構成としてもよい。この場合、リモコンは、ユーザーの操作内容に応じた赤外線の操作信号を発信し、図示しないリモコン信号受信部がこれを受信して制御部１０に伝達する。
【００２２】
通信部１３は、ＬＡＮ（Local Area Network）等のネットワークＮＷを介して外部の装置と接続され、制御部１０の制御に基づいて、これらの装置との間で情報の送受信を行う。例えば、通信部１３には、ネットワークＮＷを介して、コンピューターや携帯端末等、端末装置としての画像供給装置３が接続され、画像供給装置３から入力画像Ｉｃに対応する画像情報が入力される。画像供給装置３から通信部１３に画像情報が入力される場合には、制御部１０は、入力された画像情報を画像情報処理部１８に出力する。このように、通信部１３は、画像供給装置３から画像情報が入力される画像インターフェイスとしても機能する。なお、通信部１３と外部の装置との接続は、有線接続であってもよいし、無線による接続であってもよい。
【００２３】
撮像部１４は、ＣＣＤ（Charge Coupled Device）センサー、或いはＣＭＯＳ（Complementary Metal Oxide Semiconductor）センサー等の図示しない撮像素子を備えたカメラである。撮像部１４は、可視光を吸収して赤外光を透過させる赤外透過フィルターを有しており、この赤外透過フィルターを介して発光ペン２から発せられる赤外光を撮像する。撮像部１４は、制御部１０の制御に基づいて、投写面Ｓｐ上の投写画像Ｉｐを含む範囲の撮像を繰り返し、その撮像結果である画像情報を制御部１０に逐次出力する。これ以降、撮像部１４が出力する画像情報を「撮像画像情報」とも表記する。
【００２４】
プロジェクター１の制御部１０は、制御プログラムによって実現される機能ブロックとして、検出部１０ａと、生成部としての描画画像生成部１０ｂと、表示制御部１０ｃとを備えている。
【００２５】
検出部１０ａは、撮像部１４から入力される撮像画像情報に基づいて、撮像された画像の中から、発光ペン２が発した赤外光を検出する。検出部１０ａは、撮像された画像内に含まれる赤外光の像のうち、所定の閾値以上の明るさで、所定の範囲内の大きさを有する像を、発光ペン２が発した光とみなし、その位置を、発光ペン２の指示位置として検出する。また、検出部１０ａは、複数回に亘って取得された撮像画像情報に基づいて、発光ペン２の発光シーケンスを判別し、投写面Ｓｐへのタッチの有無を検知する。
【００２６】
描画画像生成部１０ｂは、検出部１０ａの検出結果に基づいて、指示位置の軌跡に沿って線が描画されたような描画画像Ｉｄを生成する。具体的には、描画画像生成部１０ｂは、ユーザーが発光ペン２で投写面Ｓｐ上に描画をするような描画操作を行った場合、即ち発光ペン２が投写面Ｓｐにタッチした状態で指示位置が変化した場合に、指示位置の軌跡に基づいて、描画画像Ｉｄを表す画像情報を生成する。描画画像生成部１０ｂは、この画像情報を、例えば、ベクター形式で生成して記憶部１１に記憶し、時間の経過とともに逐次更新する。また、描画画像生成部１０ｂは、生成した画像情報を表示制御部１０ｃに出力する。
【００２７】
表示制御部１０ｃは、描画画像生成部１０ｂで生成された描画画像Ｉｄを表示するために、ベクター形式の画像情報をラスター形式に変換してＯＳＤ処理部１５に出力する。また、表示制御部１０ｃは、表示されている描画画像Ｉｄを消去したり、切り替えたりする制御を行う。表示制御部１０ｃの動作の詳細については後述する。
【００２８】
ＯＳＤ処理部１５は、図示しないフレームメモリーを備えて構成される。ＯＳＤ処理部１５は、制御部１０の制御に基づいて、入力画像Ｉｃと同時に表示される各種ＯＳＤ（オンスクリーンディスプレイ）画像の画像情報をフレームメモリー上に生成する。ＯＳＤ画像には、指示位置に表示されるポインターや、描画画像生成部１０ｂにより生成される描画画像Ｉｄの他に、メニューキーが操作された際に表示されるメニュー画像や、各種メッセージを報知するためのメッセージ画像等が含まれる。ＯＳＤ処理部１５は、制御部１０の制御に基づいて、生成したＯＳＤ画像の画像情報を画像情報合成部１９に出力する。
【００２９】
画像情報入力部１６には、コンピューターや各種ビデオ機器等の外部の画像供給装置４から画像情報が入力される。画像情報入力部１６は、画像供給装置４に接続される画像インターフェイスとしての複数の入力端子１６ａと、これらの入力端子１６ａに対応する図示しないインターフェイス回路とを含んで構成され、画像供給装置４から入力画像Ｉｃに対応する画像情報の供給を受け付ける。画像情報入力部１６と画像供給装置４とは、ネットワークＮＷを介さずに画像伝送用のケーブルを介して接続される。画像情報入力部１６が備える入力端子１６ａとしては、ＨＤＭＩ（登録商標）（High Definition Multimedia Interface）に対応するビデオ機器やコンピューターと接続するためのＨＤＭＩ端子、主にコンピューターからアナログＲＧＢ信号を入力するためのコンピューター端子、主にビデオ機器からコンポジット信号を入力するためのビデオ端子等がある。画像情報入力部１６の入力端子１６ａに入力された画像情報は、画像情報選択部１７に出力される。
【００３０】
画像情報選択部１７は、制御部１０の制御に基づいて、画像情報入力部１６に備わる入力端子１６ａの１つを選択し、選択された入力端子１６ａに入力されている画像情報を画像情報処理部１８に出力する。ユーザーは、入力操作部１２に備わる入力選択キーを操作することにより、複数の画像インターフェイスの中から１つを選択することができる。ユーザーが選択可能な選択肢としては、「ＨＤＭＩ」、「コンピューター」、「ビデオ」、「ネットワーク」等があり、このうち、「ＨＤＭＩ」、「コンピューター」又は「ビデオ」が選択された場合には、制御部１０は、画像情報選択部１７に指示をして、それぞれに対応する入力端子１６ａ、即ちＨＤＭＩ端子、コンピューター端子又はビデオ端子を画像インターフェイスとして選択させる。
【００３１】
一方、入力選択キーによって「ネットワーク」が選択された場合には、制御部１０は、画像情報選択部１７にいずれの入力端子１６ａも選択させず、代わりに、通信部１３から入力される画像情報を画像情報処理部１８に出力する。つまり、この場合には、制御部１０は、画像インターフェイスとして通信部１３を選択する。
【００３２】
画像情報処理部１８は、図示しないフレームメモリーを備えて構成される。画像情報処理部１８は、画像情報選択部１７又は制御部１０から入力される入力画像Ｉｃの画像情報をフレームメモリーに格納するとともに、フレームメモリー上の画像情報に対して、制御部１０の制御に基づいて様々な処理を施し、処理後の画像情報を画像情報合成部１９に出力する。例えば、画像情報処理部１８は、明るさやコントラスト等の画質を調整する処理や、画像の歪みを補正する処理等を必要に応じて画像情報に施す。
【００３３】
画像情報合成部１９は、制御部１０の制御に基づいて、入力画像ＩｃにＯＳＤ画像を合成する処理を施す。具体的には、画像情報合成部１９は、画像情報処理部１８から入力される入力画像Ｉｃの画像情報と、ＯＳＤ処理部１５から入力されるＯＳＤ画像の画像情報とを合成する。つまり、画像情報処理部１８のフレームメモリーに格納されている入力画像Ｉｃを第１のレイヤーとし、ＯＳＤ処理部１５のフレームメモリーに格納されているＯＳＤ画像を第２のレイヤーとすると、画像情報合成部１９は、第１のレイヤーと第２のレイヤーとを重ね合わせる処理を行う。画像情報合成部１９は、合成後の画像情報を画像投写部２０のライトバルブ駆動部２４（図３参照）に出力する。
【００３４】
なお、ＯＳＤ処理部１５、画像情報入力部１６のインターフェイス回路、画像情報選択部１７、画像情報処理部１８及び画像情報合成部１９は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００３５】
図３に示すように、画像投写部２０は、光源２１、光変調装置としての３つの液晶ライトバルブ２２Ｒ，２２Ｇ，２２Ｂ、投写光学系２３、ライトバルブ駆動部２４等を備えて構成される。画像投写部２０は、光源２１から射出された光を、液晶ライトバルブ２２Ｒ，２２Ｇ，２２Ｂで変調して画像光を形成し、レンズ及びミラーの少なくとも一方を含む投写光学系２３からこの画像光を投写して投写面Ｓｐに画像を表示する。画像投写部２０による画像の表示は、画像情報選択部１７、画像情報処理部１８及びＯＳＤ処理部１５を介して制御部１０によって制御される。
【００３６】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色、緑色、青色の各色光成分に分離された後、それぞれ液晶ライトバルブ２２Ｒ，２２Ｇ，２２Ｂに入射する。
【００３７】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画素領域２２ｉが形成されており、液晶に対して画素毎に駆動電圧を印加可能になっている。
【００３８】
ライトバルブ駆動部２４は、液晶ライトバルブ２２Ｒ，２２Ｇ，２２Ｂの画素領域２２ｉに画像を形成する。具体的には、ライトバルブ駆動部２４は、画像情報合成部１９から入力される画像情報に応じた駆動電圧を、画素領域２２ｉの各画素に印加し、各画素を画像情報に応じた光透過率に設定する。光源２１から射出された光は、液晶ライトバルブ２２Ｒ，２２Ｇ，２２Ｂの画素領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面Ｓｐに拡大投写される。この結果、投写面Ｓｐ上には、入力画像Ｉｃと、描画画像Ｉｄ等のＯＳＤ画像とを含む投写画像Ｉｐが表示される。
【００３９】
図２に戻って、描画画像生成部１０ｂは、生成した描画画像Ｉｄの画像情報を記憶部１１に記憶する際に、そのときに表示している入力画像Ｉｃの画像ソースに関する情報に対応付けて記憶する。本実施形態において、画像ソースとは、画像情報入力部１６に備わる入力端子１６ａを表すとともに、通信部１３に画像情報を供給する画像供給装置３を表すものとする。
【００４０】
具体的には、画像供給装置４から画像情報入力部１６に入力されている画像情報に基づいて入力画像Ｉｃが表示されている場合には、描画画像生成部１０ｂは、生成した描画画像Ｉｄの画像情報を、画像情報選択部１７で選択されている入力端子１６ａに対応付けて記憶する。より具体的には、画像情報入力部１６に備わる複数の入力端子１６ａには、それぞれを識別するための端子情報が割り当てられており、描画画像生成部１０ｂは、この端子情報に対応付けて描画画像Ｉｄの画像情報を記憶する。端子情報としては、例えば数字からなる番号が用いられるが、文字を含んだ情報であってもよい。
【００４１】
一方、画像供給装置３からネットワークＮＷを経由して通信部１３に入力されている画像情報に基づいて入力画像Ｉｃが表示されている場合には、描画画像生成部１０ｂは、生成した描画画像Ｉｄを、通信部１３に対応付けるとともに、画像供給装置３を識別するための識別情報に対応付けて記憶する。本実施形態では、識別情報として画像供給装置３のＩＰ（Internet Protocol）アドレスが用いられる。なお、識別情報は、ＩＰアドレスに限定されず、画像供給装置３を識別可能な情報であれば、ＭＡＣアドレス等、他の情報が用いられてもよい。また、ネットワークＮＷが比較的小規模の場合には、識別情報は、ユーザーが他の画像供給装置３と重複しないように割り当てた番号や文字情報等であってもよい。
【００４２】
表示制御部１０ｃは、ユーザーによる入力選択キーの操作等に基づいて、画像投写部２０が表示する入力画像Ｉｃを切り替える際に、それまで表示していた描画画像Ｉｄを消去するとともに、新たに表示する入力画像Ｉｃの画像ソースに対応する描画画像Ｉｄを表示させる。具体的には、表示制御部１０ｃは、画像情報入力部１６に入力される画像情報に基づいて入力画像Ｉｃを表示する場合には、新たに選択された入力端子１６ａに対応する描画画像Ｉｄの画像情報を記憶部１１から読み出す。一方、ネットワークＮＷを介して画像供給装置３から通信部１３に入力される画像情報に基づいて入力画像Ｉｃを表示する場合には、表示制御部１０ｃは、画像供給装置３のＩＰアドレスに対応する描画画像Ｉｄの画像情報を記憶部１１から読み出す。表示制御部１０ｃが、読み出した画像情報をラスター形式に変換してＯＳＤ処理部１５に出力すると、新たな画像ソースに対応する描画画像Ｉｄが入力画像Ｉｃに合成されて画像投写部２０から投写される。
【００４３】
また、表示制御部１０ｃは、読み出した画像情報を描画画像生成部１０ｂに出力する。これ以降、描画画像生成部１０ｂは、ユーザーの描画操作に応じて、この描画画像Ｉｄの画像情報を更新する。なお、対応する描画画像Ｉｄの画像情報が記憶部１１に記憶されていない場合には、表示制御部１０ｃは、描画画像Ｉｄの画像情報をＯＳＤ処理部１５に出力しない。つまり、この場合には、表示制御部１０ｃは、描画画像Ｉｄを表示させない。
【００４４】
図４は、プロジェクター１の制御方法、即ちプロジェクター１の動作を説明するためのフローチャートである。プロジェクター１に電源が供給されると、制御部１０は、種々の初期動作を行った後で、図４に示すフローに従って動作する。
【００４５】
図４に示すように、ステップＳ１０１では、制御部１０は、前回の動作時に選択されていた画像インターフェイスに入力される画像情報に基づいて、画像投写部２０から入力画像Ｉｃを表示させる処理を行う。つまり、制御部１０は、画像情報入力部１６の入力端子１６ａのうち、画像情報選択部１７で選択されている入力端子１６ａに入力されている画像情報、又は画像供給装置３から通信部１３に入力されている画像情報に基づく入力画像Ｉｃを画像投写部２０から投写させる。
【００４６】
ステップＳ１０２では、制御部１０は、検出部１０ａの検出結果に基づいて、発光ペン２による描画操作がなされたか否か、即ち発光ペン２が投写面Ｓｐにタッチした状態で指示位置が変化したか否かを判断する。そして、制御部１０は、描画操作がなされた場合にはステップＳ１０３に処理を移し、描画操作がなされていない場合には、ステップＳ１０５に処理を移す。
【００４７】
発光ペン２による描画操作がなされてステップＳ１０３に移行した場合には、描画画像生成部１０ｂが、指示位置の軌跡に沿って線を描画したような描画画像Ｉｄの画像情報を生成し、表示制御部１０ｃに出力する。表示制御部１０ｃがこの画像情報をラスター形式に変換してＯＳＤ処理部１５に出力すると、描画画像Ｉｄが入力画像Ｉｃに合成されて画像投写部２０から投写面Ｓｐに表示される。続くステップＳ１０４では、描画画像生成部１０ｂは、生成した描画画像Ｉｄの画像情報を、入力画像Ｉｃの画像ソースに対応付けて記憶部１１に記憶する。
【００４８】
ステップＳ１０５では、制御部１０は、入力画像Ｉｃの画像ソースを変更するための変更条件が満たされたか否かを判断する。例えば、制御部１０は、入力選択キーで画像インターフェイスを切り替える操作がなされた場合に、変更条件が満たされたと判断する。また、制御部１０は、画像インターフェイスとして通信部１３が選択された状態において、画像情報を供給する画像供給装置３の変更を要求する制御情報が送信された場合に、変更条件が満たされたと判断する。制御部１０は、変更条件が満たされた場合にはステップＳ１０６に処理を移し、変更条件が満たされていない場合にはステップＳ１１０に処理を移す。
【００４９】
変更条件が満たされてステップＳ１０６に処理が移行した場合には、制御部１０は、入力画像Ｉｃの画像ソースを変更する処理を行う。例えば、入力選択キーにより新たな入力端子１６ａが選択された場合には、制御部１０は、画像情報選択部１７に指示をして新たな入力端子１６ａを選択させる。また、入力選択キーにより画像インターフェイスとして通信部１３が新たに選択された場合には、制御部１０は、画像供給装置３とネットワーク接続を行う。そして、これ以降、通信部１３は、この画像供給装置３から画像情報の供給を受け付け、制御部１０は、この画像情報に基づいて入力画像Ｉｃを表示させる。また、画像インターフェイスとして通信部１３が選択されている状態において、画像情報を供給する画像供給装置３の変更を要求する制御情報が送信された場合には、制御部１０は、新たな画像供給装置３とネットワーク接続を行う。そして、これ以降、通信部１３は、新たな画像供給装置３から画像情報の供給を受け付け、制御部１０は、この画像情報に基づいて入力画像Ｉｃを表示させる。
【００５０】
ステップＳ１０７では、表示制御部１０ｃが、ＯＳＤ処理部１５に指示をして、それまで表示していた描画画像Ｉｄ、即ち画像ソースの変更前に表示していた描画画像Ｉｄを投写面Ｓｐ上から消去させる。ＯＳＤ処理部１５がこの指示を受けてフレームメモリー上の描画画像Ｉｄを消去すると、画像投写部２０が投写していた投写画像Ｉｐから描画画像Ｉｄが取り除かれる。なお、ここで行う描画画像Ｉｄの消去とは、描画画像Ｉｄの表示をやめることであり、記憶部１１に記憶されている描画画像Ｉｄの画像情報は、そのまま維持される。
【００５１】
ステップＳ１０８では、表示制御部１０ｃは、新たな入力画像Ｉｃの画像ソース、即ち変更後の画像ソースに対応付けられた描画画像Ｉｄの画像情報を記憶部１１から読み出す。つまり、新たに選択された入力端子１６ａに入力される画像情報に基づいて入力画像Ｉｃを表示する場合には、この入力端子１６ａに対応付けられた描画画像Ｉｄの画像情報を読み出す。一方、ネットワークＮＷを介して接続されている画像供給装置３から入力される画像情報に基づいて入力画像Ｉｃを表示する場合には、新たな画像供給装置３に対応付けられた描画画像Ｉｄの画像情報を読み出す。
【００５２】
ステップＳ１０９では、表示制御部１０ｃは、読み出した画像情報に基づく新たな描画画像Ｉｄを投写面Ｓｐに表示させる。具体的には、表示制御部１０ｃは、読み出した描画画像Ｉｄの画像情報をラスター形式に変換してＯＳＤ処理部１５に出力する。この結果、新たな描画画像Ｉｄが入力画像Ｉｃに合成されて画像投写部２０から投写される。また、表示制御部１０ｃは、読み出した画像情報を描画画像生成部１０ｂにも出力し、これ以降の描画操作に応じて画像情報を更新させる。なお、新たな画像ソースに対応付けられた描画画像Ｉｄが記憶部１１に記憶されていない場合には、ステップＳ１０８，Ｓ１０９は、スキップされる。
【００５３】
ステップＳ１１０では、制御部１０は、ユーザーにより画像の投写の終了を指示する終了操作がなされたか否かを判断する。そして、制御部１０は、終了操作がなされていない場合にはステップＳ１０２に処理を戻し、終了操作がなされた場合にはステップＳ１１１に処理を移す。
【００５４】
終了操作がなされてステップＳ１１１に処理が移行した場合には、表示制御部１０ｃが、記憶部１１に記憶されている描画画像Ｉｄの画像情報を消去して、フローを終了する。なお、終了後も描画画像Ｉｄの画像情報を記憶部１１に記憶させたままにして、次回の動作時に画像ソースに対応する描画画像Ｉｄを再現させるようにしてもよい。
【００５５】
図５Ａ及び図５Ｂは、プロジェクター１の具体的な動作例を説明するための説明図である。
図５Ａ及び図５Ｂに示すように、プロジェクター１は、ネットワークＮＷを介して２つの画像供給装置３、即ち第１の画像供給装置３ａと第２の画像供給装置３ｂとに接続されている。プロジェクター１の記憶部１１には、第１の画像供給装置３ａのＩＰアドレスに対応付けられた第１の描画画像Ｉｄ１の画像情報と、第２の画像供給装置３ｂのＩＰアドレスに対応付けられた第２の描画画像Ｉｄ２の画像情報とが記憶されている。図５Ａでは、プロジェクター１は、第１の画像供給装置３ａから画像情報の供給を受け付け、この画像情報に基づく第１の入力画像Ｉｃ１を画像投写部２０から投写するとともに、第１の入力画像Ｉｃ１に第１の描画画像Ｉｄ１を合成して表示させている。ここで、プロジェクター１が第２の画像供給装置３ｂから画像供給装置３の変更を要求する制御信号を受信すると、プロジェクター１は、第２の画像供給装置３ｂとネットワーク接続を行い、これ以降、第２の画像供給装置３ｂから画像情報の供給を受け付ける。この結果、図５Ｂに示すように、プロジェクター１は、この画像情報に基づく第２の入力画像Ｉｃ２を画像投写部２０から投写するとともに、それまで表示していた第１の描画画像Ｉｄ１を消去する。そして、プロジェクター１は、第２の画像供給装置３ｂのＩＰアドレスに対応する第２の描画画像Ｉｄ２を記憶部１１から読み出し、第２の入力画像Ｉｃ２上に合成して表示させる。
【００５６】
以上説明したように、本実施形態の表示システム１００、プロジェクター１及びそれらの制御方法によれば、以下の効果を得ることができる。
【００５７】
（１）本実施形態によれば、描画画像Ｉｄが、入力端子１６ａや通信部１３等の画像インターフェイスに対応付けられて記憶部１１に記憶されており、プロジェクター１は、画像インターフェイスに応じた描画画像Ｉｄを表示する。このため、入力選択キーで選択された画像インターフェイスが変更された場合でも、大きな負荷を掛けることなく、新たな画像インターフェイス、即ち新たな画像供給装置３，４に適した描画画像Ｉｄを表示させることが可能となる。
【００５８】
（２）本実施形態によれば、描画画像Ｉｄが、ネットワークＮＷを介して画像情報を供給する画像供給装置３のＩＰアドレスに対応付けられて記憶部１１に記憶されており、プロジェクター１は、画像供給装置３のＩＰアドレスに応じた描画画像Ｉｄを表示する。このため、通信部１３に画像情報を供給する画像供給装置３が変更された場合でも、大きな負荷を掛けることなく、変更後の画像供給装置３に適した描画画像Ｉｄを表示させることが可能となる。
【００５９】
（３）本実施形態によれば、画像情報を供給する画像供給装置３，４が変更された場合に、それまで表示されていた描画画像Ｉｄを消去するため、この描画画像Ｉｄが次に表示される入力画像Ｉｃの視認を妨げることがなくなる。
【００６０】
なお、上記実施形態において、画像インターフェイスを選択する際の制御部１０及び画像情報選択部１７が選択部に相当する。また、通信部１３は、第１の画像インターフェイスに相当する。
【００６１】
（変形例）
また、上記実施形態は、以下のように変更してもよい。
【００６２】
上記実施形態では、赤外光を発する発光ペン２で描画操作を行う態様を示したが、ユーザーの指等、赤外光を発しない指示体でなされた描画操作を検出可能な構成としてもよい。例えば、投写面Ｓｐに沿って平面状に赤外光を発光する照明装置を配置して、この赤外光が指示体で反射した光を撮像部１４で撮像する構成にすることができる。また、撮像部１４は、赤外光を撮像する態様に限定されず、可視光を撮像し、パターンマッチング等の画像処理によって指示体の指示位置を検出する態様であってもよい。また、指示体の奥行方向の位置をも検出可能とするために、複数の撮像部１４を備えた構成としてもよい。また、撮像部１４を備える代わりに、指示体の接触を検出可能なタッチセンサーを投写面Ｓｐに配置した構成としてもよい。
【００６３】
上記実施形態において、入力選択キーによって画像インターフェイスを切り替える態様は、入力選択キーが操作される毎に、画像インターフェイスを順次切り替える態様であってもよい。また、入力選択キーが操作された場合に、画像インターフェイスのリストをＯＳＤ画像として表示し、リストの中から所望の画像インターフェイスをユーザーに選択させるようにしてもよい。また、異なる画像インターフェイスに対応する複数の入力選択キーを入力操作部１２に配置して、操作された入力選択キーに対応する画像インターフェイスに切り替える態様であってもよい。
【００６４】
また、入力端子１６ａへの画像情報の入力が開始された場合に画像インターフェイスを切り替える態様としてもよい。例えば、図６に示すように、各入力端子１６ａへの画像情報の入力を検出する画像情報検出部３０をプロジェクター１に備えるようにして、制御部１０が、画像情報検出部３０の検出結果に基づいて、画像情報の入力が検出された入力端子１６ａを画像情報選択部１７に選択させるようにしてもよい。
【００６５】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００６６】
上記実施形態では、表示装置の例として、プロジェクター１について説明したが、表示装置はプロジェクター１に限定されず、液晶ディスプレイや有機ＥＬディスプレイ等、他の表示装置であってもよい。これらの場合には、画像が表示される表示画面が表示面及び表示部に相当する。また、ユーザーの描画操作を検出するために、表示画面上にタッチセンサーが配置されたタッチパネルを用いた構成にしてもよい。
【００６７】
以下に、実施形態から導き出される内容を記載する。
【００６８】
表示装置は、画像供給装置からネットワークを介して画像情報の供給を受け付ける通信部と、前記通信部が受け付けた前記画像情報に基づく画像を表示面に表示する表示部と、前記表示面に対する指示体の指示位置を検出する検出部と、前記検出部で検出された前記指示位置に基づいて描画画像を生成する生成部と、前記生成部で生成された前記描画画像を前記表示部に表示させる表示制御部と、前記描画画像を、前記画像供給装置を識別するための識別情報に対応付けて記憶する記憶部と、を備え、前記表示制御部は、前記通信部に前記画像情報を供給する前記画像供給装置が変更された場合に、変更後の前記画像供給装置の前記識別情報に対応する前記描画画像を前記記憶部から読み出し、前記表示部に表示させることを特徴とする。
【００６９】
この構成によれば、描画画像が画像供給装置の識別情報に対応付けられて記憶部に記憶されており、表示装置は、画像供給装置の識別情報に応じた描画画像を表示する。このため、通信部に画像情報を供給する画像供給装置が変更された場合でも、大きな負荷を掛けることなく、変更後の画像供給装置に適した描画画像を表示させることが可能となる。
【００７０】
上記の表示装置において、前記識別情報は、前記画像供給装置のＩＰアドレスであってもよい。
【００７１】
この構成によれば、画像供給装置のＩＰアドレスを識別情報として用いているため、画像供給装置を容易に識別することが可能となる。
【００７２】
上記の表示装置において、前記通信部に前記画像情報を供給する前記画像供給装置が変更された場合に、前記表示制御部は、変更前に表示されていた前記描画画像を消去してもよい。
【００７３】
この構成によれば、画像情報を供給する画像供給装置が変更された場合に、それまで表示されていた描画画像を消去するため、この描画画像が次に表示される画像の視認を妨げることがなくなる。
【００７４】
上記の表示装置において、前記画像供給装置である第１の画像供給装置と、前記画像供給装置である第２の画像供給装置とが前記通信部に接続され、前記第１の画像供給装置の前記識別情報に対応する第１の描画画像と、前記第２の画像供給装置の前記識別情報に対応する第２の描画画像とが前記記憶部に記憶され、前記通信部が前記第１の画像供給装置から前記画像情報の供給を受け付け、前記表示制御部が前記第１の描画画像を前記表示部に表示させているときに、前記通信部が前記第２の画像供給装置から前記画像情報の供給を受け付けた場合には、前記表示制御部は、前記表示部に表示させている前記第１の描画画像を消去して、前記第２の描画画像を表示させてもよい。
【００７５】
この構成によれば、画像供給装置に適した描画画像を容易に表示させることが可能となる。
【００７６】
表示装置は、画像供給装置から画像情報の供給を受け付ける複数の画像インターフェイスと、前記複数の画像インターフェイスから１つの画像インターフェイスを選択する選択部と、前記選択部で選択された前記画像インターフェイスに供給される前記画像情報に基づく画像を表示面に表示する表示部と、前記表示面に対する指示体の指示位置を検出する検出部と、前記検出部で検出された前記指示位置に基づいて描画画像を生成する生成部と、前記生成部で生成された前記描画画像を前記表示部に表示させる表示制御部と、前記描画画像を、前記選択部で選択された前記画像インターフェイスに対応付けて記憶する記憶部と、を備え、前記表示制御部は、前記選択部により選択された前記画像インターフェイスが変更された場合に、変更後の前記画像インターフェイスに対応する前記描画画像を前記記憶部から読み出し、前記表示部に表示させることを特徴とする。
【００７７】
この構成によれば、描画画像が画像インターフェイスに対応付けられて記憶部に記憶されており、表示装置は、画像インターフェイスに応じた描画画像を表示する。このため、選択部で選択された画像インターフェイスが変更された場合でも、大きな負荷を掛けることなく、新たな画像インターフェイス、即ち新たな画像供給装置に適した描画画像を表示させることが可能となる。
【００７８】
上記の表示装置において、前記選択部で選択されている前記画像インターフェイスが、前記画像供給装置からネットワークを介して前記画像情報の供給を受け付ける第１の画像インターフェイスの場合に、前記記憶部は、前記描画画像を、前記画像情報を供給している前記画像供給装置を識別するための識別情報に対応付けて記憶し、前記第１の画像インターフェイスに前記画像情報を供給する前記画像供給装置が変更された場合に、前記表示制御部は、変更後の前記画像供給装置の前記識別情報に対応する前記描画画像を読み出し、前記表示部に表示させてもよい。
【００７９】
この構成によれば、選択部で選択されている画像インターフェイスが、画像供給装置からネットワークを介して画像情報を受け付ける第１の画像インターフェイスの場合に、記憶部は、描画画像を、画像供給装置を識別するための識別情報に対応付けて記憶する。このため、第１の画像インターフェイスに画像情報を供給する画像供給装置が変更された場合でも、大きな負荷を掛けることなく、変更後の画像供給装置に適した描画画像を表示させることが可能となる。
【００８０】
表示装置の制御方法は、画像供給装置からネットワークを介して画像情報の供給を受け付け、前記画像情報に基づく画像を表示面に表示し、前記表示面に対する指示体の指示位置を検出し、検出された前記指示位置に基づいて描画画像を生成し、前記描画画像を前記表示面に表示させ、前記描画画像を、前記画像供給装置を識別するための識別情報に対応付けて記憶部に記憶し、前記画像情報を供給する前記画像供給装置が変更された場合に、変更後の前記画像供給装置の前記識別情報に対応する前記描画画像を前記記憶部から読み出し、前記表示面に表示させることを特徴とする。
【００８１】
この構成によれば、描画画像が画像供給装置の識別情報に対応付けられて記憶されており、表示装置は、画像供給装置の識別情報に応じた描画画像を表示する。このため、画像情報を供給する画像供給装置が変更された場合でも、大きな負荷を掛けることなく、変更後の画像供給装置に適した描画画像を表示させることが可能となる。
【００８２】
表示装置の制御方法は、画像供給装置から画像情報の供給を受け付ける複数の画像インターフェイスから１つの画像インターフェイスを選択し、選択された前記画像インターフェイスに供給される前記画像情報に基づく画像を表示面に表示し、前記表示面に対する指示体の指示位置を検出し、検出された前記指示位置に基づいて描画画像を生成し、前記描画画像を前記表示面に表示させ、前記描画画像を、選択された前記画像インターフェイスに対応付けて記憶部に記憶し、選択された前記画像インターフェイスが変更された場合に、変更後の前記画像インターフェイスに対応する前記描画画像を前記記憶部から読み出し、前記表示面に表示させることを特徴とする。
【００８３】
この構成によれば、描画画像が画像インターフェイスに対応付けられて記憶されており、表示装置は、画像インターフェイスに応じた描画画像を表示する。このため、選択された画像インターフェイスが変更された場合でも、大きな負荷を掛けることなく、新たな画像インターフェイス、即ち新たな画像供給装置に適した描画画像を表示させることが可能となる。
【符号の説明】
【００８４】
１…プロジェクター、２…発光ペン、２ａ…発光部、３，４…画像供給装置、３ａ…第１の画像供給装置、３ｂ…第２の画像供給装置、１０…制御部、１０ａ…検出部、１０ｂ…描画画像生成部、１０ｃ…表示制御部、１１…記憶部、１２…入力操作部、１３…通信部、１４…撮像部、１５…ＯＳＤ処理部、１６…画像情報入力部、１６ａ…入力端子、１７…画像情報選択部、１８…画像情報処理部、１９…画像情報合成部、２０…画像投写部、２１…光源、２２Ｒ，２２Ｇ，２２Ｂ…液晶ライトバルブ、２２ｉ…画素領域、２３…投写光学系、２４…ライトバルブ駆動部、３０…画像情報検出部、１００…表示システム、Ｉｃ…入力画像、Ｉｃ１…第１の入力画像、Ｉｃ２…第２の入力画像、Ｉｄ…描画画像、Ｉｄ１…第１の描画画像、Ｉｄ２…第２の描画画像、Ｉｐ…投写画像、ＮＷ…ネットワーク、Ｓｐ…投写面、Ｔ…固定部材。
【図１】
2020076908.tif 000003
【図２】
2020076908.tif 000004
【図３】
2020076908.tif 000005
【図４】
2020076908.tif 000006
【図５Ａ】
2020076908.tif 000007
【図５Ｂ】
2020076908.tif 000008
【図６】
2020076908.tif 000009